(57)【要約】【課題】ＡＶ信号経路の自動構成を行う「ＡＶシステム及びＡＶシステムの構成方法」を提供する。【解決手段】ＤＶＤチェンジャ１３では、自身のオーディオレベルより低いオーディオレベルを持つＡＶ機器１の内で最も高いオーディオレベルを持つＡＶ機器１はヘッドユニット１５のみであるので、ヘッドユニット１５をオーディオ出力先として設定する、ヘッドユニット１５は、同様にオーディオレベルに応じて、ＤＳＰ１４をオーディオ出力先として設定する。ＤＳＰは、自身のオーディオレベルより低いオーディオレベルを持つＡＶ機器１の内で最も高いオーディオレベルを持つＡＶ機器１としてスピーカ装置Ａ１１とスピーカ装置Ｂ１１が存在するので、スピーカ装置Ａ１１とスピーカ装置Ｂ１１のオーディオレベル内ランクに従って、スピーカ装置Ａ１１とスピーカ装置Ｂ１１との双方をオーディオ出力先として設定する。【選択図】図４
2005174434.tif 000002
【特許請求の範囲】
【請求項１】
オーディオとビジュアルとの少なくとも一方を取り扱う複数のＡＶ機器から構成されるＡＶシステムであって、
前記各ＡＶ機器は、
オーディオ信号とビジュアル信号との少なくとも一方であるＡＶ信号の経路上において当該ＡＶ機器が配置されるべき位置の上流下流のレベルを示す第１の値を記憶する記憶手段と、
他の各ＡＶ機器から当該他のＡＶ機器に記憶されている前記第１の値を収集する収集手段と、
自身の記憶手段に記憶されている第１の値より前記ＡＶ信号の経路上の下流側のレベルを示す値が前記第１の値として前記収集手段によって収集された他のＡＶ機器のうちで、前記ＡＶ信号の経路上の最も上流側のレベルを示す値が前記第１の値として前記収集手段によって収集された他のＡＶ機器を、自ＡＶ装置からの前記ＡＶ信号の出力先として設定する出力先設定手段とを有することを特徴とするＡＶシステム。
【請求項２】
請求項１記載のＡＶシステムであって、
前記各ＡＶ機器の前記記憶手段は、当該ＡＶ機器の他ＡＶ機器による利用の優先度を表す第２の値を記憶し、
前記収集手段は、他の各ＡＶ機器から当該他のＡＶ機器に記憶されている前記第１の値と共に当該他のＡＶ機器に記憶されている前記第２の値を収集し、
前記出力先設定手段は、自身の記憶手段に記憶されている第１の値より前記ＡＶ信号の経路上の下流側のレベルを示す値が前記第１の値として前記収集手段によって収集された他のＡＶ機器のうちで、前記ＡＶ信号の経路上の最も上流側のレベルを示す値が前記第１の値として前記収集手段によって収集された他のＡＶ機器が複数存在する場合に、当該複数存在した他のＡＶ機器のうちで最も高い優先度を表す値が前記第２の値として、前記収集手段によって収集された他のＡＶ機器を、自ＡＶ装置からの前記ＡＶ信号の出力先として設定することを特徴とするＡＶシステム。
【請求項３】
請求項１または２記載のＡＶシステムであって、
前記各ＡＶ機器は、無線ネットワークによって接続された、車載のＡＶ機器であることを特徴とするＡＶシステム。
【請求項４】
オーディオとビジュアルとの少なくとも一方を取り扱う複数のＡＶ機器から構成されるＡＶシステムにおいて、オーディオ信号とビジュアル信号との少なくとも一方であるＡＶ信号の前記ＡＶ機器間の経路を自動構成するＡＶシステムの自動構成方法であって、
各ＡＶ機器において、他各ＡＶ機器から、当該他の機器に記憶されている、前記ＡＶ信号の経路上においてＡＶ機器が配置されるべき位置の上流下流のレベルを示す第１の値を収集するステップと、
各ＡＶ機器において、自身に記憶されている前記第１の値より前記ＡＶ信号の経路上の下流側のレベルを示す値が前記第１の値として収集された他のＡＶ機器のうちで、前記ＡＶ信号の経路上の最も上流側のレベルを示す値が前記第１の値として収集された他のＡＶ機器を、自ＡＶ装置からの前記ＡＶ信号の出力先として設定するステップとを有することを特徴とするＡＶシステムの自動構成方法。
【請求項５】
請求項４記載のＡＶシステムの自動構成方法であって、
前記各ＡＶ機器において、他の各ＡＶ機器から当該ＡＶ機器に記憶されている前記第１の値を収集するステップにおいて、当該第１の値と共に当該ＡＶ機器に記憶されているＡＶ機器の他ＡＶ機器による利用の優先度を表す第２の値を収集し、
前記ＡＶ信号の出力先として設定するステップにおいて、自身に記憶されている前記第１の値より前記ＡＶ信号の経路上の下流側のレベルを示す値が前記第１の値として収集された他のＡＶ機器のうちで、前記ＡＶ信号の経路上の最も上流側のレベルを示す値が前記第１の値として収集された他のＡＶ機器が複数存在する場合に、当該複数存在した他のＡＶ機器のうちで最も高い優先度を表す値が前記第２の値として収集された他のＡＶ機器を、自ＡＶ装置からの前記ＡＶ信号の出力先として設定することを特徴とするＡＶシステムの自動構成方法。
【発明の詳細な説明】
【技術分野】
【０００１】
本発明は、複数のＡＶ機器より形成されるＡＶシステムの自動構成を行う技術に関するものである。
【背景技術】
【０００２】
複数のＡＶ機器より形成されるＡＶシステムの自動構成を行う技術としては、無線ネットワークで接続された各オーディオ機器間で、オーディオ機器の種別の情報を交換し、オーディオ機器の自律的動作によって、各オーディオ機器の種別に応じたオーディオ信号のオーディオ機器間の経路を自動設定する技術が知られている（たとえば、特許文献１）。
【０００３】
すなわち、この技術では、たとえば、無線ネットワークに接続されたオーディオアンプ装置は、無線ネットワークに接続されている他の装置の種別を調べ、無線ネットワークにスピーカ装置が接続されていれば、そのスピーカ装置を、オーディオアンプ装置からのオーディオ信号の出力先として設定する。
【０００４】
なお、本明細書中において、「ＡＶシステム」、「ＡＶ機器」との用語は、オーディオとビジュアルのうちの少なくとも一方を取り扱うシステム、機器の総称として用いている。
【特許文献１】特開平２００１−３５９２００号公報
【発明の開示】
【発明が解決しようとする課題】
【０００５】
前記特許文献１の技術によれば、オーディオ機器の種別とオーディオ出力の出力先の関係、すなわち、オーディオシステムを構成する各オーディオ機器の種別とオーディオシステムの構成との関係が各オーディオ機器に予め定義されている必要がある。
そして、このために、オーディオシステムに新旧のオーディオ機器が混在する場合、旧いオーディオ機器では、オーディオシステムに後に組み込まれた、当該旧いオーディオ機器の製作時に存在しなかった種別の新しいオーディオ機器の種別を認識できず、適切にオーディオ出力の出力先を設定することができなくなる。
【０００６】
そこで、本発明は、任意種別のＡＶ機器の組み合わせによって形成されるＡＶシステムの自動構成を実現することを課題とする。
【課題を解決するための手段】
【０００７】
前記課題達成のために、本発明は、オーディオとビジュアルとの少なくとも一方を取り扱う複数のＡＶ機器から構成されるＡＶシステムにおいて、前記各ＡＶ機器に、オーディオ信号とビジュアル信号との少なくとも一方であるＡＶ信号の経路上において当該ＡＶ機器が配置されるべき位置の上流下流のレベルを示す第１の値を記憶する記憶手段と、他の各ＡＶ機器から当該他のＡＶ機器に記憶されている前記第１の値を収集する収集手段と、自身の記憶手段に記憶されている第１の値より前記ＡＶ信号の経路上の下流側のレベルを示す値が前記第１の値として前記収集手段によって収集された他のＡＶ機器のうちで、前記ＡＶ信号の経路上の最も上流側のレベルを示す値が前記第１の値として前記収集手段によって収集された他のＡＶ機器を、自ＡＶ装置からの前記ＡＶ信号の出力先として設定する出力先設定手段とを備えたものである。
【０００８】
このようなＡＶシステムによれば、各ＡＶ機器に予めそのＡＶ機器の種別に応じた第１の値を設定しておくことにより、ユーザの特段の作業を必要とすることなしにＡＶシステムに組み込まれたＡＶ機器間の動作によって、適切なＡＶ信号の信号経路を備えたＡＶシステムの自動構成を実現することができる。また、この第１の値を値間の間隔に余裕を持って設定するようにすることにより、新しい種類のＡＶ機器が誕生した場合にでも、このＡＶ機器をＡＶシステムに支障なく組み込むことができる。すなわち、ＡＶ機器ＡとＡＶ機器ＢとからなりＡＶ機器ＡからＡＶ機器ＢへＡＶ信号を送るＡＶシステム構成が存在する場合に、ＡＶ機器ＡとＡＶ機器Ｂの間にＡＶ信号の信号経路上配置されるべき新しい種類のＡＶ機器Ｃが誕生した場合には、このＡＶ装置Ｃに第１の値として、ＡＶ機器Ａの第１の値とＡＶ機器Ｂの第１の値の間の値を設定すれば、ＡＶ機器ＡとＡＶ機器ＢとからなるＡＶシステムにＡＶ機器Ｃを組み込むだけで、ＡＶ機器Ａ、ＡＶ機器Ｃ、ＡＶ機器Ｂの順にＡＶ信号が送られるＡＶシステムが自動構成されるようになる。
【０００９】
ここで、以上のＡＶシステムでは、前記各ＡＶ機器の前記記憶手段において、当該ＡＶ機器の他ＡＶ機器による利用の優先度を表す第２の値を記憶し、前記収集手段において、他の各ＡＶ機器から当該他のＡＶ機器に記憶されている前記第１の値と共に当該他のＡＶ機器に記憶されている前記第２の値を収集し、前記出力先設定手段において、自身の記憶手段に記憶されている第１の値より前記ＡＶ信号の経路上の下流側のレベルを示す値が前記第１の値として前記収集手段によって収集された他のＡＶ機器のうちで、前記ＡＶ信号の経路上の最も上流側のレベルを示す値が前記第１の値として前記収集手段によって収集された他のＡＶ機器が複数存在する場合に、当該複数存在した他のＡＶ機器のうちで最も高い優先度を表す値が前記第２の値として、前記収集手段によって収集された他のＡＶ機器を、自ＡＶ装置からの前記ＡＶ信号の出力先として設定するようにすることも好ましい。
【００１０】
このようにすることにより、第１の値が等しい、すなわち、配置されるべき位置の上流下流のレベルが同じＡＶ機器を複数ＡＶシステムに組み込む場合においても、いずれかのＡＶ機器が優先して利用されるようにするなどの多様なＡＶシステムの自動構成を実現することができる。
【００１１】
なお、以上のＡＶシステムは、前記各ＡＶ機器を、無線ネットワークによって接続したものであって良く、また、各ＡＶ機器は、車載のＡＶ機器であってよい。
【発明の効果】
【００１２】
以上のように本発明によれば、任意種別のＡＶ機器の組み合わせによって形成されるＡＶシステムの自動構成を実現することができる。
【発明を実施するための最良の形態】
【００１３】
以下、本発明の実施形態について説明する。
図１ａに、本実施形態に係るＡＶシステムの構成を示す。
本ＡＶシステムは、車載のＡＶシステムであり、図示するように複数のＡＶ機器１と、ＡＶ機器１が無線通信を介して接続する無線ステーション２とよりなる無線ネットワークを形成している。ここで、無線ステーション２は、無線通信を介して各ＡＶ機器１間のデータの中継を行う装置である。
【００１４】
また、ＡＶ機器１は、たとえば、図１ｂに示すように車内に配置された、無線ネットワークを介してデジタルオーディオ信号を受信し受信したデジタルオーディオ信号をアナログ信号に変換して増幅出力するスピーカ装置１１や、無線ネットワークを介してデジタルビジュアル信号を受信し受信したデジタルビジュアル信号が表す画像表示を行うモニタ１２や、ＤＶＤ−ＶｉｄｅｏやＤＶＤ−ＡｕｄｉｏなどのＡＶ記憶媒体を複数枚収容し選択的に任意のＡＶ記憶媒体からデジタルオーディオ信号やデジタルビジュアル信号を再生し無線ネットワーク介して他のＡＶ機器１に送信するＤＶＤチェンジャ１３や、無線ネットワークを介してデジタルオーディオ信号を受信し受信したデジタルオーディオ信号に対してイコライズ処理やサラウンド処理などの各種音響処理を行って無線ネットワークを介して他のＡＶ機器１に送信するデジタルサウンドプロセッサ（ＤＳＰ）１４や、ラジオ受信機としての機能やＣＤ−ＤＡプレイヤとしての機能やプリアンプ機能や出力ソースを切り替えるソースセレクト機能などを備えると共に各ＡＶ機器１の制御などを行うヘッドユニット１５などである。
【００１５】
さて、各ＡＶ機器１は、図１ａに示すように、無線ステーション２と無線通信を行うための無線通信装置１０１、制御部１０２、メモリ１０３、ＡＶデータ処理部１０４とを備えている。
ここで、ＡＶデータ処理部１０４は、各ＡＶ機器１においてデジタルオーディオ信号やデジタルビジュアル信号の処理を行う機能部であり、たとえば、スピーカ装置１１であればデジタルオーディオ信号をアナログ信号に変換して増幅して出力する機能部であり、モニタ１２であればデジタルビジュアル信号が表す画像表示を行う機能部であり、ＤＶＤチェンジャ１３であれば選択的に任意のＡＶ記憶媒体からデジタルオーディオ信号やデジタルビジュアル信号を再生する機能部であり、ＤＳＰ１４であればデジタルオーディオ信号に対してイコライズ処理やサラウンド処理などの各種音響処理を行う機能部であり、ヘッドユニット１５であればラジオ放送を受信したりＣＤ−ＤＡを再生したり出力ソースを切り替えたり出力ソースからの入力を増幅等する機能部である。
【００１６】
さて、このようなＡＶ機器１のメモリ１０３には、ストリームポジションデータと、ストリームポジションリストが格納される。
ストリームポジションデータには、図２ａに示すように、自ＡＶ機器の無線ネットワーク上の通信アドレスと、オーディオレベルとオーディオレベル内ランクとビジュアルレベルとビジュアルレベル内ランクとが格納される。
通信アドレスは、ＡＶ機器１が固定的な通信アドレスを用いる場合にはその通信アドレスが固定的に設定され、ＡＶ機器１が無線ネットワーク接続時に動的に割り振られる通信アドレスを用いる場合にはその通信アドレスが無線ネットワーク接続時に設定される。
次に、オーディオレベルは、そのＡＶシステムにおけるデジタルオーディオ信号の経路上の、そのＡＶ機器１の位置のレベルを示すものであり、その値が大きい程、そのＡＶ機器１は、デジタルオーディオ信号の経路上、上流側に位置すべきＡＶ機器１であることを表す。ただし、オーディオレベルがレベル無しを表す”００”のＡＶ機器１は、そのＡＶ機器１がデジタルオーディオ信号を取り扱わず、デジタルオーディオ信号の経路に含む必要のないＡＶ機器１であることを表す。また、オーディオレベル内ランクは、オーディオレベルが同じＡＶ機器１の内での、そのＡＶ機器１の、デジタルオーディオ信号の経路上の上流側のＡＶ機器１から見た使用の優先度を表し、同じオーディオレベルのＡＶ機器１が複数ＡＶシステム内に存在する場合には、最もオーディオレベル内ランクが高いＡＶ機器１が、より上流側のＡＶ機器１から出力されたデジタルオーディオ信号の経路内に含まれることになる。なお、一般的には、同じオーディオレベルを与えることになる同種のＡＶ機器１のうち、より高機能のＡＶ機器１により高いオーディオレベル内ランクを与える。ただし、オーディオレベル内ランクがランク無しを表す”００”である場合には、より上流側のＡＶ機器１が、そのＡＶ機器１を、そのＡＶ機器１と同じオーディオレベルの他のＡＶ機器１と共用して良いことを表す。
【００１７】
次に、ビジュアルレベルは、そのＡＶシステムにおけるデジタルビジュアル信号の経路上の、そのＡＶ機器１の位置のレベルを示すものであり、その値が大きい程、そのＡＶ機器１は、デジタルビジュアル信号の経路上、上流側に位置すべきＡＶ機器１であることを表す。ただし、ビジュアルレベルがレベル無しを表す”００”のＡＶ機器１は、そのＡＶ機器１がデジタルビジュアル信号を取り扱わず、デジタルビジュアル信号の経路に含む必要のないＡＶ機器１であることを表す。また、ビジュアルレベル内ランクは、ビジュアルレベルが同じＡＶ機器１の内での、そのＡＶ機器１の、デジタルビジュアル信号の経路上の上流側のＡＶ機器１から見た使用の優先度を表し、同じビジュアルレベルのＡＶ機器１が複数ＡＶシステム内に存在する場合には、最もビジュアルレベル内ランクが高いＡＶ機器１が、より上流側のＡＶ機器１から出力されたデジタルビジュアル信号の経路内に含まれることになる。なお、一般的には、同じビジュアルレベルを与えることになる同種のＡＶ機器１のうち、より高機能のＡＶ機器１により高いビジュアルレベル内ランクを与える。ただし、ビジュアルレベル内ランクがランク無しを表す”００”である場合には、より上流側のＡＶ機器１が、そのＡＶ機器１を、そのＡＶ機器１と同じビジュアルレベルの他のＡＶ機器１と共用して良いことを表す。
【００１８】
次に、ＡＶ機器１のストリームポジションリストは、図２ｂに示すように、そのＡＶ機器１が無線ネットワークに接続したときに、無線ネットワーク内の他の各ＡＶ機器１から収集した、当該他の各ＡＶ機器１のストリームポジションデータのリストである。
以下、このようなＡＶシステムにおける自動構成動作について説明する。
図３に、各ＡＶ機器１の制御部１０２がＡＶ機器１の起動時に行う出力先決定処理を示す。
図示するように、この処理では制御部１０２は、自ＡＶ機器１が所定のネットワーク接続処理によって無線ネットワークに接続したならば（ステップ３０２）、まず、他の各ＡＶ機器１に無線ネットワークを介してストリームポジションデータ要求をたとえばブロードキャスト形式で発行することにより、各他のＡＶ機器１からストリームポジションデータを収集し、メモリ１０３にストリームポジションリストとして格納する（ステップ３０４）。なお、制御部１０２は、無線通信装置１０１を介して他のＡＶ機器１からストリームポジションデータ要求を受け取ったならば、メモリ１０３からストリームポジションデータを読み出して、要求元のＡＶ機器１に無線通信装置１０１、無線ネットワークを介して送信する処理も行う。
【００１９】
さて、各他のＡＶ機器１からストリームポジションデータを収集し、メモリ１０３にストリームポジションリストとして格納したならば、次に、メモリ１０３のストリームポジションデータを参照して自身のオーディオレベルを調べ（ステップ３０６）、自身のオーディオレベルがレベル無しを表す”００”であればステップ３１４に進む。
【００２０】
一方、自身のオーディオレベルがレベル無しを表す”００”でなければ、次に、ストリームポジションリストを参照して、自身オーディオレベルより低いオーディオレベルのうちで最も高いオーディオレベルを持つ他のＡＶ機器１の全てを対象機器として選択する（ステップ３０８）。なお、ここではオーディオレベルがレベル無しを表す”００”の他のＡＶ機器は対象機器としては選択しない。そして、対象機器として一つのＡＶ機器１のみが選択されたかどうかを調べ（ステップ３１０）、一つのＡＶ機器１しか選択されていない場合には、そのＡＶ機器１をオーディオ出力先として設定し（ステップ３１２）、ステップ３１４に進む。ここで、オーディオ出力先が設定されると、以降、ＡＶデータ処理部１０４は、ＡＶデータ処理部１０４で処理したデジタルオーディオ信号を無線ネットワークを介して、出力先として設定されたＡＶ機器１に、ストリームポジションリストに登録された当該出力先として設定されたＡＶ機器１の通信アドレスを用いて送信する。ただし、スピーカ装置１１などのＡＶデータ処理部１０４で処理したデジタルオーディオ信号を他ＡＶ機器に送信しない種別のＡＶ機器１では、そのようなデジタルオーディオ信号の送信は行わない。また、スピーカ装置１１やモニタ１２などのＡＶデータ処理部１０４で処理したデジタルＡＶ信号を他ＡＶ機器に送信しない種別のＡＶ機器１、すなわちデジタルＡＶ信号の経路上下流側端となるＡＶ機器１では、この出力先設定処理を行わなくてもかまわない。
【００２１】
さて、ステップ３１０において、対象機器として複数のＡＶ機器１が選択されたと判定された場合には、次にストリームポジションリストを参照して対象機器となったＡＶ機器１のうちで最もオーディオレベル内ランクの数値が大きいＡＶ機器１を抽出し（ステップ３２２）、ストリームポジションリストを参照して、抽出したＡＶ機器１のオーディオレベル内ランクがランク無しを表す”００”であるかどうかを調べ（ステップ３２４）、そうであればステップ３２２で抽出した全てのＡＶ機器１をオーディオ出力先として設定し、ステップ３１４に進む。なお、ここでオーディオ出力先として複数のＡＶ機器１が設定された場合には、ＡＶデータ処理部１０４は、以降ＡＶデータ処理部で処理したデジタルオーディオ信号を出力先として設定されたＡＶ機器１の全てに無線ネットワークを介して送信する。
【００２２】
一方、ステップ３２４で抽出したＡＶ機器１のオーディオレベル内ランクがランク無しを表す”００”でないと判定された場合には、ステップ３２２で抽出したＡＶ機器１の内の任意の一つをオーディオ出力先として設定し、ステップ３１４に進む。
さて、ステップ３１４では、メモリ１０３のストリームポジションデータを参照して自身のビジュアルレベルを調べ、自身のビジュアルレベルがレベル無しを表す”００”であれば処理を終了する。
一方、自身のビジュアルレベルがレベル無しを表す”００”でなければ、次に、ストリームポジションリストを参照して、自身ビジュアルレベルより低いビジュアルレベルのうちで最も高いビジュアルレベルを持つ他のＡＶ機器１の全てを対象機器として選択する（ステップ３１６）。なお、ここではビジュアルレベルがレベル無しを表す”００”の他のＡＶ機器は対象機器としては選択しない。そして、対象機器として一つのＡＶ機器１のみが選択されたかどうかを調べ（ステップ３１８）、一つのＡＶ機器１しか選択されていない場合には、そのＡＶ機器１をビジュアル出力先として設定し（ステップ３２０）、処理を終了する。ここで、ビジュアル出力先が設定されると、以降、ＡＶデータ処理部１０４は、ＡＶデータ処理部１０４で処理したデジタルビジュアル信号を無線ネットワークを介して、出力先として設定されたＡＶ機器１に送信する。ただし、モニタ１２などのＡＶデータ処理部１０４で処理したデジタルビジュアル信号を他ＡＶ機器に送信しない種別のＡＶ機器１では、そのようなデジタルビジュアル信号の送信は行わない。
【００２３】
さて、ステップ３１８において、対象機器として複数のＡＶ機器１が選択されたと判定された場合には、次にストリームポジションリストを参照して対象機器となったＡＶ機器１のうちで最もビジュアルレベル内ランクの数値が大きいＡＶ機器１を抽出し（ステップ３３０）、ストリームポジションリストを参照して、抽出したＡＶ機器１のビジュアルレベル内ランクがランク無しを表す”００”であるかどうかを調べ（ステップ３３２）、そうであればステップ３３０で抽出した全てのＡＶ機器１をビジュアル出力先として設定し（ステップ３３４）、処理を終了する。なお、ここでビジュアル出力先として複数のＡＶ機器１が設定された場合には、ＡＶデータ処理部１０４は、以降ＡＶデータ処理部で処理したデジタルビジュアル信号を出力先として設定されたＡＶ機器１の全てに無線ネットワークを介して送信する。
【００２４】
一方、ステップ３３２で抽出したＡＶ機器１のビジュアルレベル内ランクがランク無しを表す”００”でないと判定された場合には、ステップ３３０で抽出したＡＶ機器１の内の任意の一つをビジュアル出力先として設定し（ステップ３３６）、処理を終了する。
以上、出力先設定処理について説明した。
以下、このようなＡＶシステムの自動構成例を示す。
いま、たとえば、図４に示すように、無線ネットワークにＡＶ機器１として、モニタ１２、ＤＶＤチェンジャ１３、ヘッドユニット１５、ＤＳＰ１４、スピーカ装置Ａ１１、スピーカ装置Ｂ１１が接続されており、各ＡＶ機器１のストリームポジションデータが図示するように設定されている場合を考える。
【００２５】
この場合、ＤＶＤチェンジャ１３では、自身のオーディオレベルより低いオーディオレベルを持つＡＶ機器１の内で最も高いオーディオレベルを持つＡＶ機器１はヘッドユニット１５のみであるので、ヘッドユニット１５がオーディオ出力先として設定される。また、自身のビジュアルレベルより低いビジュアルレベルを持つＡＶ機器１の内で最も高いビジュアルレベルを持つＡＶ機器１はモニタ１２のみであるので、モニタ１２がビジュアル出力先として設定される。
【００２６】
また、ヘッドユニット１５では、自身のオーディオレベルより低いオーディオレベルを持つＡＶ機器１の内で最も高いオーディオレベルを持つＡＶ機器１はＤＳＰ１４のみであるので、ＤＳＰ１４がオーディオ出力先として設定される。また、自身のビジュアルレベルより低いオーディオレベルを持つＡＶ機器１の内で最も高いビジュアルレベルを持つＡＶ機器１はモニタ１２のみであるので、モニタ１２がビジュアル出力先として設定される。
【００２７】
次に、ＤＳＰ１４では、自身のオーディオレベルより低いオーディオレベルを持つＡＶ機器１の内で最も高いオーディオレベルを持つＡＶ機器１はスピーカ装置Ａ１１とスピーカ装置Ｂ１１が存在し、スピーカ装置Ａ１１とスピーカ装置Ｂ１１のオーディオレベル内ランクは共に”００”であるので、スピーカ装置Ａ１１とスピーカ装置Ｂ１１との双方がオーディオ出力先として設定される。また、自身のビジュアルレベルが”００”であるので、ビジュアル出力先は設定されない。
【００２８】
残るスピーカ装置Ａ１１とスピーカ装置Ｂ１１とモニタ１２は、デジタルオーディオ信号やデジタルビジュアル信号を他のＡＶ機器１に出力しない装置であるので、オーディオ出力先やビジュアル出力先は設定されない。
結果、図中の実線の矢印で示したようにデジタルオーディオ信号のＡＶ機器１間の経路が設定され、破線の矢印で示したようにデジタルビジュアル信号のＡＶ機器１間の経路が設定され、適切なデジタルオーディオ信号とデジタルビジュアル信号の経路を備えたＡＶシステムが構成される。
【００２９】
次に、図４に示した無線ネットワークの構成よりＤＳＰ１４が除外され、ヘッドユニット１５よりも高機能なヘッドユニットＢ１５が追加された場合について図５に示す。なお、この構成は、たとえば、従前より使用しているヘッドユニット１５が、オーディオ出力品質向上のために新たに購入したヘッドユニットＢ１５が備えていないオーディオテーププレイヤとしての機能を備えているために、ヘッドユニット１５も新ヘッドユニットＢ１５と併用したいとユーザが考えたような場合についてのものである。
【００３０】
この場合、ＤＶＤチェンジャ１３では、自身のオーディオレベルより低いオーディオレベルを持つＡＶ機器１の内で最も高いオーディオレベルを持つＡＶ機器１はヘッドユニット１５とヘッドユニットＢ１５であり、ヘッドユニット１５とヘッドユニットＢ１５のうちのオーディオレベル内ランクがより高いヘッドユニットＢ１５のオーディオレベル内ランクは”００”ではないので、ヘッドユニットＢ１５がオーディオ出力先として設定される。また、自身のビジュアルレベルより低いビジュアルレベルを持つＡＶ機器１の内で最も高いビジュアルレベルを持つＡＶ機器１はモニタ１２のみであるので、モニタ１２がビジュアル出力先として設定される。
【００３１】
また、ヘッドユニット１５では、自身のオーディオレベルより低いオーディオレベルを持つＡＶ機器１の内で最も高いオーディオレベルを持つＡＶ機器１はスピーカ装置Ａ１１とスピーカ装置Ｂ１１が存在し、スピーカ装置Ａ１１とスピーカ装置Ｂ１１のオーディオレベル内ランクは共に”００”であるので、スピーカ装置Ａ１１とスピーカ装置Ｂ１１との双方がオーディオ出力先として設定される。また、自身のビジュアルレベルより低いオーディオレベルを持つＡＶ機器１の内で最も高いビジュアルレベルを持つＡＶ機器１はモニタ１２のみであるので、モニタ１２がビジュアル出力先として設定される。
【００３２】
次に、ヘッドユニットＢ１５では、自身のオーディオレベルより低いオーディオレベルを持つＡＶ機器１の内で最も高いオーディオレベルを持つＡＶ機器１はスピーカ装置Ａ１１とスピーカ装置Ｂ１１が存在し、スピーカ装置Ａ１１とスピーカ装置Ｂ１１のオーディオレベル内ランクは共に”００”であるので、スピーカ装置Ａ１１とスピーカ装置Ｂ１１との双方がオーディオ出力先として設定される。また、自身のビジュアルレベルより低いオーディオレベルを持つＡＶ機器１の内で最も高いビジュアルレベルを持つＡＶ機器１はモニタ１２のみであるので、モニタ１２がビジュアル出力先として設定される。
【００３３】
残るスピーカ装置Ａ１１とスピーカ装置Ｂ１１とモニタ１２は、デジタルオーディオ信号やデジタルビジュアル信号を他のＡＶ機器１に出力しない装置であるので、オーディオ出力先やビジュアル出力先は設定されない。
結果、図中の実線の矢印で示したようにデジタルオーディオ信号のＡＶ機器１間の経路が設定され、破線の矢印で示したようにデジタルビジュアル信号のＡＶ機器１間の経路が設定され、適切なデジタルオーディオ信号とデジタルビジュアル信号の経路を備えたＡＶシステムが構成される。
【００３４】
以上、本発明の実施形態について説明した。
ところで以上では、各ＡＶ機器１の接続に無線ネットワークを用いたが、各ＡＶ機器１は有線ＬＡＮなどのＡＶ機器１間で有線通信を行う有線ネットワークを用いるようにしてもよい。
以上のように本実施形態によれば、各ＡＶ機器１に予めそのＡＶ機器１の種別に応じたオーディオレベルやビジュアルレベルを設定しておくことにより、ユーザの特段の作業を必要とすることなしにＡＶシステムに組み込まれたＡＶ機器１間の動作によって、適切なデジタルオーディオ信号やデジタルビジュアル信号の信号経路を備えたＡＶシステムを自動構成することができる。また、このオーディオレベルやビジュアルレベルの値間の間隔に余裕を持って設定するようにすることにより、新しい種類のＡＶ機器１が誕生した場合にでも、このＡＶ機器１をＡＶシステムに支障なく組み込むことができる。すなわち、たとえば、ＡＶ機器ＡとＡＶ機器ＢとからなりＡＶ機器ＡからＡＶ機器Ｂへデジタルオーディオ信号を送るＡＶシステム構成が存在する場合に、ＡＶ機器ＡとＡＶ機器Ｂの間にデジタルオーディオ信号の信号経路上配置されるべき新しい種類のＡＶ機器Ｃが誕生した場合には、このＡＶ装置Ｃにオーディオレベルとして、ＡＶ機器ＡのオーディオレベルとＡＶ機器Ｂのオーディオレベルの間の値を設定すれば、ＡＶ機器ＡとＡＶ機器ＢとからなるＡＶシステムにＡＶ機器Ｃを組み込むだけで、ＡＶ機器Ａ、ＡＶ機器Ｃ、ＡＶ機器Ｂの順にデジタルオーディオ信号が送られるＡＶシステムが自動構成されるようにすることができる。
【００３５】
また、本実施形態で示したオーディオレベル内ランクやビジュアルレベル内ランクをオーディオレベルやビジュアルレベルと併用することにより、オーディオレベルやビジュアルレベル等しい、すなわち、配置されるべき位置の上流下流のレベルが同じＡＶ機器１を複数ＡＶシステムに組み込む場合においても、いずれかのＡＶ機器１が優先して利用されるようにするなどの多様なＡＶシステムの自動構成を実現することができる。
【図面の簡単な説明】
【００３６】
【図１】本発明の実施形態に係るＡＶシステムの構成を示すブロック図である。
【図２】本発明の実施形態に係るＡＶ機器が保持するストリームポジションデータとストリームポジションリストを示す図である。
【図３】本発明の実施形態に係るＡＶ機器が行う出力先設定処理を示すフローチャートである。
【図４】本発明の実施形態に係るＡＶシステムの自動構成例を示す図である。
【図５】本発明の実施形態に係るＡＶシステムの自動構成例を示す図である。
【符号の説明】
【００３７】
１…ＡＶ機器、２…無線ステーション、１１…スピーカ装置、１２…モニタ、１３…ＤＶＤチェンジャ、１４…デジタルサウンドプロセッサ（ＤＳＰ）、１５…ヘッドユニット、１０１…無線通信装置、１０２…制御部、１０３…メモリ、１０４…ＡＶデータ処理部。
【図１】
2005174434.tif 000003
【図２】
2005174434.tif 000004
【図３】
2005174434.tif 000005
【図４】
2005174434.tif 000006
【図５】
2005174434.tif 000007